(57)【要約】【課題】改善された、電話機、電話機の制御方法及び電話機のプログラムを提供する。【解決手段】電話機は、スピーカとコントローラとを備える。コントローラは、着信に対するユーザ操作が検出されなかった第１着信の後に、該第１着信の発信者からの第２着信を検出すると、スピーカから出力される着信音量を第１着信中の着信音量よりも上げる。【選択図】図３
2019009657.tif 000002
【特許請求の範囲】
【請求項１】
スピーカと、コントローラとを備える電話機であって、
前記コントローラは、着信に対するユーザ操作が検出されなかった第１着信の後に、当該第１着信の発信者からの第２着信を検出すると、前記電話機の周囲の環境に基づいて、前記スピーカから出力される着信音量を設定する、
電話機。
【請求項２】
コントローラを備える電話機であって、
スピーカが前記電話機に外部接続され、
前記コントローラは、着信に対するユーザ操作が検出されなかった第１着信の後に、当該第１着信の発信者からの第２着信を検出すると、前記電話機の周囲の環境に基づいて、前記スピーカから出力される着信音量を設定する、
電話機。
【請求項３】
請求項１又は２に記載の電話機において、
前記電話機の周囲の環境音を集音するマイクをさらに備え、
前記電話機の周囲の環境は、前記環境音である、電話機。
【請求項４】
請求項１から３の何れか一項に記載の電話機において、
センサ部をさらに備え、
前記コントローラは、前記センサ部の検出結果に基づき、前記電話機が電車内にいないと特定したとき、前記第２着信中の前記スピーカの着信音量を上げる、電話機。
【請求項５】
請求項１から４の何れか一項に記載の電話機において、
通信部をさらに備え、
前記コントローラは、前記通信部によって取得した前記電話機の位置情報に基づき、前記電話機が第１場所にいると特定したとき、前記第２着信中の前記スピーカの着信音量を上げる、電話機。
【請求項６】
請求項１から５の何れか一項に記載の電話機において、
前記コントローラは、前記第１着信を検出してから第１時間以内に、前記第２着信を検出したとき、前記着信音量を上げる、電話機。
【請求項７】
請求項１から６の何れか一項に記載の電話機において、
前記コントローラは、前記着信音量を徐々に上げる、電話機。
【請求項８】
請求項１から７の何れか一項に記載の電話機において、
前記コントローラは、前記着信音量を、前記環境音の音量まで、上げる、電話機。
【請求項９】
請求項８に記載の電話機において、
前記コントローラは、前記着信音量が、第１設定時間以内に、前記環境音の音量に到達するように制御する、電話機。
【請求項１０】
請求項１から７の何れか一項に記載の電話機において、
前記コントローラは、前記着信音量を第２設定時間だけ前記スピーカの設定音量に維持した後、前記着信音量を上げる、電話機。
【請求項１１】
請求項１から８の何れか一項に記載の電話機において、
前記コントローラは、同一発信者からの前記第１着信の検出回数が所定回数に達した後に、前記第２着信を検出すると、前記着信音量を上げる、電話機。
【請求項１２】
請求項４に記載の電話機において、
前記コントローラは、前記センサ部の検出結果に基づき、ユーザが電車内にいると特定したとき、前記第２着信中の前記スピーカの着信音量を下げる、電話機。
【請求項１３】
請求項５に記載の電話機において、
前記コントローラは、前記位置情報によって前記電話機が第２場所にいると特定したとき、前記第２着信中の前記スピーカの着信音量を前記第１着信中の着信音量よりも上げる、電話機。
【請求項１４】
請求項１２に記載の電話機において、
前記コントローラは、前記第２着信中の前記スピーカの着信音量を下げるとき、当該着信音量を徐々に下げる、電話機。
【請求項１５】
請求項１から１４の何れか一項に記載の電話機において、
前記第１着信中の前記着信音量は、ユーザ設定に基づく着信音量である、電話機。
【請求項１６】
請求項１から１５に記載の電話機において、
振動部をさらに備え、
前記コントローラは、前記第１着信を検出してから第１時間以内に、前記第２着信を検出したとき、前記振動部を、前記第１着信中の振動パターンである第１振動パターンとは異なる第２振動パターンで振動させる、電話機。
【請求項１７】
請求項１６に記載の電話機において、
前記第１振動パターンは、ユーザ設定に基づく振動パターンである、電話機。
【請求項１８】
請求項１６又は１７に記載の電話機において、
前記第１振動パターン及び前記第２振動パターンは、前記振動部が所定周波数で振動する振動時間帯と、前記振動部が振動を停止する停止時間帯とを交互に繰り返すパターンであり、
前記第２振動パターンの前記振動時間帯は、前記第１振動パターンの振動時間帯よりも長い、電話機。
【請求項１９】
請求項１５から１７の何れか一項に記載の電話機において、
前記コントローラは、同一発信者からの前記第１着信の検出回数が所定回数に達した後に、前記第２着信を検出すると、前記第２振動パターンで前記振動部を振動させる、電話機。
【請求項２０】
請求項１から１９の何れか一項に記載の電話機において、
前記コントローラは、相手が応答する前に切断された発信の呼び出し時間が第２時間よりも長いと判定したとき、当該相手の通信機器に、所定のメッセージを送信する、電話機。
【請求項２１】
請求項１から１９の何れか一項に記載の電話機において、
前記コントローラは、第３時間内における同一相手への発信数が所定数を超えると判定したとき、当該相手の通信機器に、所定のメッセージを送信する、電話機。
【請求項２２】
スピーカと、コントローラとを備える電話機の制御方法であって、
前記コントローラが、着信に対するユーザ操作が検出されなかった着信を第１着信として検出するステップと、
前記コントローラが、前記第１着信を検出した後に、当該第１着信の発信者からの第２着信を検出すると、前記電話機の周囲の環境に基づいて、前記スピーカから出力される着信音量を設定するステップと
を含む、電話機の制御方法。
【請求項２３】
コントローラを備える電話機の制御方法であって、
前記コントローラが、着信に対するユーザ操作が検出されなかった着信を第１着信として検出するステップと、
前記コントローラが、前記第１着信を検出した後に、当該第１着信の発信者からの第２着信を検出すると、前記電話機の周囲の環境に基づいて、前記電話機に外部接続されたスピーカから出力される着信音量を設定するステップと
を含む、電話機の制御方法。
【請求項２４】
電話機に、
着信に対するユーザ操作が検出されなかった着信を第１着信として検出するステップと、
前記第１着信を検出した後に、当該第１着信の発信者からの第２着信を検出すると、前記電話機の周囲の環境に基づいて、前記電話機が備えるスピーカから出力される着信音量を設定するステップと
を実行させる、電話機のプログラム。
【請求項２５】
電話機に、
着信に対するユーザ操作が検出されなかった着信を第１着信として検出するステップと、
前記第１着信を検出した後に、当該第１着信の発信者からの第２着信を検出すると、前記電話機の周囲の環境に基づいて、前記電話機に外部接続されたスピーカから出力される着信音量を設定するステップと
を実行させる、電話機のプログラム。
【発明の詳細な説明】
【技術分野】
【０００１】
本開示は、電話機、電話機の制御方法及び電話機のプログラムに関する。
【背景技術】
【０００２】
従来から、電話機は、着信をユーザに報知する機能を有する。例えば、特許文献１に記載の電話機は、着信を検出すると、電話機が有するスピーカから音を出力することによって、該着信をユーザに報知する。
【先行技術文献】
【特許文献】
【０００３】
【特許文献１】特開２００７−４３６８２号公報
【発明の概要】
【発明が解決しようとする課題】
【０００４】
しかしながら、従来の電話機において、着信をユーザに報知する機能には、改善の余地がある。例えば、ユーザは騒がしい場所にいるとき、着信中にスピーカから着信音が出力されても、ユーザは、その着信音に気付かないことが多い。
【０００５】
かかる点に鑑みてなされた本開示の目的は、改善された、電話機、電話機の制御方法及び電話機のプログラムを提供することにある。
【課題を解決するための手段】
【０００６】
本開示の一実施形態に係る電話機は、スピーカとコントローラとを備える。前記コントローラは、着信に対するユーザ操作が検出されなかった着信を第１着信として検出する。前記コントローラは、前記第１着信を検出した後に、当該第１着信の発信者からの第２着信を検出すると、前記電話機の周囲の環境に基づいて、前記スピーカから出力される着信音量を設定する。
【０００７】
本開示の一実施形態に係る電話機は、コントローラを備える。スピーカが前記電話機に外部接続される。前記コントローラは、着信に対するユーザ操作が検出されなかった着信を第１着信として検出する。前記コントローラは、前記第１着信を検出した後に、当該第１着信の発信者からの第２着信を検出すると、前記電話機の周囲の環境に基づいて、前記スピーカから出力される着信音量を設定する。
【０００８】
本開示の一実施形態に係る電話機の制御方法は、スピーカとコントローラとを備える電話機の制御方法である。前記電話機の制御方法は、前記コントローラが、着信に対するユーザ操作が検出されなかった着信を第１着信として検出するステップを含む。前記電話機の制御方法は、前記コントローラが、前記第１着信を検出した後に、当該第１着信の発信者からの第２着信を検出すると、前記電話機の周囲の環境に基づいて、前記スピーカから出力される着信音量を設定するステップを含む。
【０００９】
本開示の一実施形態に係る電話機の制御方法は、コントローラを備える電話機の制御方法である。前記電話機の制御方法は、前記コントローラが、着信に対するユーザ操作が検出されなかった着信を第１着信として検出するステップを含む。前記電話機の制御方法は、前記コントローラが、前記第１着信を検出した後に、当該第１着信の発信者からの第２着信を検出すると、前記電話機の周囲の環境に基づいて、前記電話機に外部接続されたスピーカから出力される着信音量を設定するステップを含む。
【００１０】
本開示の一実施形態に係る電話機のプログラムは、前記電話機に、着信に対するユーザ操作が検出されなかった着信を第１着信として検出するステップを実行させる。前記電話機のプログラムは、前記電話機に、前記第１着信を検出した後に、当該第１着信の発信者からの第２着信を検出すると、前記電話機の周囲の環境に基づいて、前記電話機が備えるスピーカから出力される着信音量を設定するステップを実行させる。
【００１１】
本開示の一実施形態に係る電話機のプログラムは、前記電話機に、着信に対するユーザ操作が検出されなかった着信を第１着信として検出するステップを実行させる。前記電話機のプログラムは、前記電話機に、前記第１着信を検出した後に、当該第１着信の発信者からの第２着信を検出すると、前記電話機の周囲の環境に基づいて、前記電話機に外部接続されたスピーカから出力される着信音量を設定するステップを実行させる。
【発明の効果】
【００１２】
本開示の一実施形態によれば、改善された、電話機、電話機の制御方法及び電話機の制御プログラムが提供され得る。
【図面の簡単な説明】
【００１３】
【図１】本開示の第１実施形態に係る携帯電話機の前面図である。
【図２】本開示の第１実施形態に係る携帯電話機の背面図である。
【図３】本開示の第１実施形態に係る携帯電話機のブロック図である。
【図４】スピーカから出力される着信音量の一例を示す図である。
【図５】本開示の第１実施形態に係る携帯電話機の動作を示すフローチャートである。
【図６】本開示の第２実施形態に係る携帯電話機の動作を示すフローチャートである。
【図７】本開示の第３実施形態に係る携帯電話機の動作を示すフローチャートである。
【図８】本開示の変形例に係る携帯電話機及びスピーカのブロック図である。
【発明を実施するための形態】
【００１４】
本明細書では、電話機は、携帯電話機であるものとするが、これに限定されない。電話機は、通話機能を有する機器であればよく、例えば、固定電話回線に接続された電話機、インターネットを利用したＩＰ（Ｉｎｔｅｒｎｅｔ  Ｐｒｏｔｃｏｌ）電話、及び、通話機能を有するその他の機器等であってもよい。
【００１５】
（第１実施形態）
まず、図１及び図２を参照しながら、本開示の第１実施形態に係る携帯電話機１の外観について説明する。図１は、本開示の第１実施形態に係る携帯電話機１の前面図である。図２は、本開示の第１実施形態に係る携帯電話機１の背面図である。
【００１６】
携帯電話機１は、例えば、スマートフォンである。携帯電話機１は、前面に、ディスプレイ２と、操作キー３Ａ，３Ｂ，３Ｃと、ランプ４と、カメラ５Ａと、近接センサ６と、レシーバ７と、マイク８とを備える。携帯電話機１は、側面に、音量キー３Ｄと、電源キー３Ｅとを備える。携帯電話機１は、背面に、カメラ５Ｂと、ライト９と、スピーカ１０とを備える。
【００１７】
続いて、図３を参照しながら、携帯電話機１の機能について説明する。図３は、本開示の第１実施形態に係る携帯電話機１のブロック図である。
【００１８】
携帯電話機１は、通話機能及び伝言メモ機能を有する。携帯電話機１は、通話機能を有すれば、伝言メモ機能を有していなくてもよい。携帯電話機１は、さらに、キー３と、振動部１１と、バッテリ１２と、通信ユニット１３と、センサ部１４と、ストレージ２０と、コントローラ２１とを備える。
【００１９】
ディスプレイ２は、表示パネル２Ａと、タッチセンサ２Ｂとを有する。表示パネル２Ａは、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）又は無機ＥＬ等で構成される。表示パネル２Ａは、コントローラ２１から取得した情報に基づいて、文字、画像、操作用オブジェクト及びポインタ等を表示する。
【００２０】
タッチセンサ２Ｂは、透明なシート状に形成され、表示パネル２Ａ上に配置される。ユーザは、タッチセンサ２Ｂを透かして表示パネル２Ａを視認する。タッチセンサ２Ｂは、例えば、ユーザの指及びスタライスペン等がディスプレイ２に接触した位置を、ユーザのディスプレイ２に対する入力として検出する。
【００２１】
タッチセンサ２Ｂの検出方式は、例えば、静電容量方式、抵抗膜方式、表面弾性波方式（又は超音波方式）、赤外線方式、電磁誘導方式及び荷重検出方式等の任意の方式であってよい。
【００２２】
キー３は、ユーザによって操作される。コントローラ２１は、キー３と協働して、キーに対するユーザ操作を検出する。キー３に対するユーザ操作は、例えば、クリック、ダブルクリック、プッシュ、ロングプッシュ及びマルチプッシュである。キー３は、操作キー３Ａ〜３Ｃと、音量キー３Ｄと、電源キー３Ｅとを含む。
【００２３】
操作キー３Ａ〜３Ｃは、例えば、タッチセンサ式のソフトキーである。操作キー３Ａ〜３Ｃは、ディスプレイ２上に表示される。なお、操作キー３Ａ〜３Ｃは、押しボタン式のハードキーであってもよい。
【００２４】
操作キー３Ａは、例えば、バックキーである。操作キー３Ａは、ディスプレイ２に表示されている現在の画面を１つ前の画面に戻すときに、ユーザによって操作される。操作キー３Ｂは、例えば、メニューキーである。操作キー３Ｂは、ディスプレイ２にメニュー画面を表示させるとき、ユーザによって操作される。操作キー３Ｃは、例えば、ホームキーである。操作キー３Ｃは、ディスプレイ２にホーム画面を表示させるとき、ユーザによって操作される。
【００２５】
音量キー３Ｄは、例えば、押しボタン式のハードキーである。音量キー３Ｄは、スピーカ１０から出力される音量を調整するときに、ユーザによって操作される。音量キー３Ｄは、例えば、アップキー及びダウンキーから構成される。アップキーを操作するとスピーカ１０から出力される音量が大きくなり、ダウンキーを操作すると、スピーカ１０から出力される音量が小さくなる。
【００２６】
電源キー３Ｅは、例えば、押しボタン式のハードキーである。電源キー３Ｅは、携帯電話機１の電源をオン／オフさせるときに、ユーザによって操作される。さらに、電源キー３Ｅは、携帯電話機１をスリープモードに移行させるとき及び携帯電話機１のスリープモードを解除するときに、ユーザによって操作されてもよい。加えて、電源キー３Ｅは、伝言メモ機能の実行中に、伝言メモ機能の実行を中断するときに、ユーザによって操作されてもよい。
【００２７】
ランプ４は、例えば、ＬＥＤ（Ｌｉｇｈｔ  Ｅｍｉｔｔｉｎｇ  Ｄｉｏｄｅ）を含む。ランプ４は、他の通信機器からの電話の着信中及びバッテリ１２の充電中、点灯する。また、ランプ４は、不在着信があるとき及び新着メールがあるとき等に、予め設定されたパターンに従って点滅する。
【００２８】
カメラ５Ａは、いわゆるインカメラである。カメラ５Ａは、携帯電話機１の前面側に存在する被写体を撮影する。カメラ５Ｂは、いわゆるアウトカメラである。カメラ５Ｂは、携帯電話機１の背面側に存在する被写体を撮影する。
【００２９】
レシーバ７は、コントローラ２１から送信される音声信号を、音声に変換して出力する。レシーバ７からは、通話中、通話している相手の声が出力される。マイク８は、通話中のユーザの声及び付近の音を、音声信号に変換してコントローラ２１に送信する。マイク８は、コントローラ２１の制御に基づいて、携帯電話機１の周囲の環境音を集音することもできる。
【００３０】
ライト９は、例えば、ＬＥＤを含む。ライト９は、カメラ５Ｂが物体を撮影するときに発光する。また、ライト９は、簡易的な照明として発光することもできる。
【００３１】
スピーカ１０は、コントローラ２１の制御に基づいて、外部の通信機器からの電話の着信中、着信音を出力する。スピーカ１０は、着メールを受信したとき、着信音を出力してもよい。第１実施形態では、携帯電話機１にマナーモードが設定されておらず、電話の着信中、スピーカ１０から着信音が出力されるものとする。
【００３２】
本実施形態では、スピーカ１０は携帯電話機１に備えられている。しかしながら、これに限定されず、例えば、スピーカは携帯電話機に外部接続されていてもよい。この場合、スピーカと携帯電話機とは、有線接続されていてもよいし、無線接続されていてもよい。
【００３３】
振動部１１は、例えば、圧電素子等の振動子を含む。振動部１１は、他の通信機器からの電話の着信中、予め設定された振動パターンに従って振動する。振動部１１は、新着メールを受信したときに、予め設定された振動パターンに従って振動してもよい。
【００３４】
バッテリ１２は、外部から供給される電力によって充電される。バッテリ１２は、携帯電話機１内の各構成要素に電力を供給する。
【００３５】
通信ユニット１３は、無線により通信する。通信ユニット１３によって行われる通信方式は、無線通信規格である。例えば、無線通信規格として、２Ｇ、３Ｇ、４Ｇ等のセルラーフォンの通信規格がある。例えば、セルラーフォンの通信規格として、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−Ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット１３は、上述した通信規格の１つ又は複数をサポートしていてもよい。また、通信ユニット１３は、ＧＰＳ（Ｇｌｏｂａｌ  Ｐｏｓｉｔｉｏｎｉｎｇ  Ｓｙｓｔｅｍ）に対応していてもよい。
【００３６】
センサ部１４は、携帯電話機１の状態を検出する。センサ部１４は、検出した携帯電話機の状態を、コントローラ２１に出力する。センサ部１４は、例えば、図１に示す近接センサ６、加速度センサ、磁気センサ、ジャイロセンサ及び気圧センサを含む。
【００３７】
近接センサ６は、近隣の物体の存在を非接触で検出する。例えば、ユーザは、携帯電話機１を用いて通話するとき、ディスプレイ２を顔に近付ける。このとき、近接センサ６は、ユーザの顔を、近隣の物体として検出する。コントローラ２１は、近接センサ６がユーザの顔を近隣の物体として検出すると、ディスプレイ２の表示機能をオフ状態にする。
【００３８】
加速度センサは、携帯電話機１に働く加速度を検出する。加速度センサは、検出した加速度を、コントローラ２１に出力する。
【００３９】
磁気センサは、携帯電話機１の周囲の磁気の大きさ及び向きを検出する。磁気センサは、検出した磁気の大きさ及び方向を、コントローラ２１に出力する。
【００４０】
ジャイロセンサは、携帯電話機１の角速度を検出する。ジャイロセンサは、検出した角速度を、コントローラ２１に出力する。
【００４１】
気圧センサは、携帯電話機の外側の気圧すなわち大気圧を検出する。気圧センサは、検出した気圧を、コントローラ２１に出力する。
【００４２】
ストレージ２０は、記憶部としてプログラム及びデータを記憶する。ストレージ２０は、コントローラ２１の処理結果を一時的に記憶する記憶部としても利用される。ストレージ２０は、半導体記憶デバイス及び磁気記憶デバイス等の任意の記憶デバイスを含んでもよい。また、ストレージ２０は、複数種類の記憶デバイスを含んでもよい。また、ストレージ２０は、メモリカード等の可搬の記憶媒体と、記憶媒体の読み取り装置との組み合わせを含んでもよい。
【００４３】
ストレージ２０に記憶されるプログラムには、例えば、フォアグランド又はバックグランドで実行されるアプリケーションと、アプリケーションの動作を支援する制御プログラムとが含まれる。アプリケーションは、例えば、ディスプレイ２に所定の画面を表示させ、タッチセンサ２Ｂを介して検出されるユーザ操作に応じた処理を、コントローラ２１に実行させる。制御プログラムは、例えば、ＯＳ（Ｏｐｅｒａｔｉｎｇ  Ｓｙｓｔｅｍ）である。アプリケーション及び制御プログラムは、通信ユニット１３による無線通信又は記憶媒体を介してストレージ２０にインストールされてもよい。本実施形態では、ストレージ２０は、例えば、アプリケーション２０Ａ、アプリケーション２０Ｂ、及び、制御プログラム２０Ｃを記憶する。
【００４４】
アプリケーション２０Ａは、発信履歴データ及び着信履歴データを管理するアプリケーションである。発信履歴データは、例えば、携帯電話機１が発信した電話番号（又は電話帳データに登録された個人名）と発信日時とを含む情報である。着信履歴データは、例えば、携帯電話機１にて着信した電話番号（又は電話帳データに登録された個人名）と着信日時とを含む情報である。アプリケーション２０Ａは、発信履歴データ及び着信履歴データを格納する機能と、ユーザ操作に応じて、発信履歴データ又は着信履歴データを、ディスプレイ２に表示させる機能とを提供する。
【００４５】
アプリケーション２０Ｂは、電話帳データを管理するアプリケーションである。電話帳データは、例えば、予め登録された、個人名と該個人名に対応する少なくとも１つの電話番号とを含む情報である。電話番号は、例えば、固定電話の加入者線、及び、移動体通信・ＩＰ電話の特定サービスアカウント等に接続するために用いられる識別子である。アプリケーション２０Ｂは、電話帳データを格納する機能と、ユーザ操作に応じて、電話帳データを、ディスプレイ２に表示させる機能とを提供する。
【００４６】
制御プログラム２０Ｃは、携帯電話機１を稼働させるための各種制御に関する機能を提供する。制御プログラム２０Ｃは、レシーバ７、マイク８及び通信ユニット１３等を制御することによって、通話機能を提供する。制御プログラム２０Ｃが提供する機能は、他のプログラムが提供する機能と組み合わされて利用されてもよい。
【００４７】
ストレージ２０に記憶されるデータには、例えば、ユーザによって設定されたスピーカ１０の着信音量すなわちユーザ設定に基づくスピーカ１０の着信音量（以下「設定音量」という）が含まれる。なお、後述の第１着信中のスピーカ１０の着信音量は、設定音量であってよい。さらに、ストレージ２０に記憶されるデータには、伝言メモ、発信履歴データ、着信履歴データ及び電話帳データが含まれてもよい。伝言メモは、携帯電話機１が有する伝言メモ機能によって、発信元の通信機器から送信された音声情報である。加えて、ストレージ２０には、ユーザのプロフィール情報が含まれてもよい。プロフィール情報は、例えば、ユーザの自宅の位置情報及びユーザの仕事場の位置情報を含む。
【００４８】
コントローラ２１は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ  Ｏｎ  ａ  Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ  Ｐｒｏｇｒａｍｍａｂｌｅ  Ｇａｔｅ  Ａｒｒａｙ）及びコプロセッサを含むが、これらに限定されない。コントローラ２１は、複数の演算処理装置を含んでもよい。コントローラ２１は、携帯電話機１の動作を統括的に制御して各種の機能を実現する。
【００４９】
具体的には、コントローラ２１は、ストレージ２０に記憶されているデータを必要に応じて参照しつつ、ストレージ２０に記憶されているプログラムに含まれる命令を実行する。さらに、コントローラ２１は、データ及び命令に応じて各機能部を制御することによって、各種機能を実現する。機能部は、例えば、表示パネル２Ａ、レシーバ７、マイク８、スピーカ１０、振動部１１、及び、通信ユニット１３を含むが、これらに限定されない。コントローラ２１は、検出部の結果に応じて、制御を変更することがある。検出部は、例えば、タッチセンサ２Ｂ、キー３、及び、センサ部１４を含むが、これらに限定されない。コントローラ２１は、例えば、ストレージ２０に記憶されている制御プログラム２０Ｃに含まれる命令を実行して各種機能を実現する。
【００５０】
本実施形態では、コントローラ２１は、他の通信機器からの電話の着信を検出する。コントローラ２１は、検出した着信に対し、通話機能を実行するためのユーザ操作（着信応答操作）を検出したとき、通話機能を実行する。このような制御によって、携帯電話機１のユーザは、発信者と通話し得る。
【００５１】
一方、コントローラ２１は、検出した着信に対してユーザ操作が検出されなかったとき、当該着信を第１着信として検出する。このユーザ操作は、着信中に、該着信に対して実行されるユーザ操作である。つまり、このユーザ操作は、着信に気付いたユーザが、着信中に携帯電話機１に対して取り得る操作である。このユーザ操作には、例えば、上述の着信応答操作、伝言メモの録音開始前に伝言メモ機能の実行を中断するためのユーザ操作、及び、着信を他の通信機器に転送するためのユーザ操作が含まれる。
【００５２】
このような制御によって検出される第１着信には、通話機能が実行されなかった着信（一般的に「不在着信」と称される着信）のうち、ユーザ操作が検出されなかった着信、すなわち、ユーザが気付かなかった着信が含まれ得る。例えば、ユーザは、騒がしい場所にいるとき、スピーカ１０から着信音が出力されても、その着信音に気付かないことがある。
【００５３】
ユーザが気付かなかった着信の例として、次の（１）〜（４）が挙げられる。
（１）通話機能が実行される前に発信者の操作によって切断された着信
（２）伝言メモの録音開始前に発信者の操作によって伝言メモ機能の実行が中断された着信
（３）伝言メモの録音が完了した着信
（４）ユーザが留守番電話サービスを利用している場合に、留守番電話機能の実行によって留守番電話センターに自動転送された着信
つまり、第１着信には、上述の（１）〜（４）が含まれ得る。
【００５４】
さらに、コントローラ２１は、第１着信を検出した後に、第１着信の発信者からの着信（以下「第２着信」という）を検出すると、携帯電話機１の周囲の環境に基づいて、スピーカ１０から出力される着信音量を設定する。第１着信の発信者は、第１着信の発信元の通信機器を使用する個人であってもよいし、電話帳データにて第１着信の発信元の電話番号に対応付けられる個人であってもよい。前者の場合、コントローラ２１は、第１着信の発信元の電話番号と同一電話番号からの着信を検出したとき、該着信を第２着信としてもよい。後者の場合、コントローラ２１は、第１着信の発信元の電話番号とは異なる電話番号からの着信を検出したときであっても、所定条件を満たせば、該異なる電話番号からの着信を第２着信としてもよい。所定条件は、例えば、電話帳データにおいて、第１着信の発信元の電話番号に対応付けられている個人と、該異なる電話番号に対応付けられている個人とが、一致するとの条件であってもよい。
【００５５】
上述の携帯電話機１の周囲の環境は、マイク８によって集音される携帯電話機１の周囲の環境音であってよい。この場合、コントローラ２１は、当該環境音の音量になるまで、第２着信中にスピーカ１０から出力される着信音量を上げてもよい。このような制御によって、ユーザが第１着信の発信者からの着信である第２着信に気付く可能性を高めることができる。
【００５６】
上述の携帯電話機１の周囲の環境は、ユーザが現在いる場所であってもよい。当該場所は、例えば、電車内、ユーザの自宅及びユーザの仕事場を含んでもよい。
【００５７】
例えば、コントローラ２１は、センサ部１４に含まれる加速度センサ及び磁気センサの検出結果に基づいて、ユーザが電車内いるか否か特定してもよい。コントローラ２１は、ユーザが電車内にいると特定したとき、第２着信中にスピーカ１０から出力される着信音量を下げてもよい。スピーカ１０の設定音量がマイク８によって取得された環境音の音量よりも大きい場合、コントローラ２１は、第２着信中にスピーカ１０から出力される着信音量を、当該環境音の音量から、スピーカ１０の最小音量になるまで下げてもよい。このような制御によって、ユーザが電車に乗っている間に、スピーカ１０から出力される着信音によって、周囲の人々に迷惑を掛ける蓋然性を低減させることができる。
【００５８】
例えば、コントローラ２１は、通信ユニット１３によって取得したユーザの位置情報に基づいて、携帯電話機１が仕事場（第１場所）にいるか否か特定してもよい。すなわち、コントローラ２１は、ユーザの位置情報に基づいて、ユーザが仕事場にいるか否か特定してもよい。コントローラ２１は、ユーザが仕事場にいると特定したとき、第２着信中にスピーカ１０から出力される着信音量を、環境音の音量まで上げてもよい。スピーカ１０の着信音量を、スピーカ１０の最大音量まで上げるのではなく、環境音の音量まで上げることによって、仕事場にいる人々に迷惑を掛けてしまう蓋然性を低減させることができる。
【００５９】
例えば、コントローラ２１は、通信ユニット１３によって取得したユーザの位置情報に基づいて、携帯電話機１が自宅（第２場所）にいるか否か特定してもよい。すなわち、コントローラ２１は、ユーザの位置情報に基づいて、ユーザが自宅にいるか否か特定してもよい。また、コントローラ２１は、ユーザが自宅にいると特定したとき、第２着信中のスピーカ１０の着信音量を第１着信中の着信音量よりも上げてもよい。また、コントローラ２１は、ユーザが自宅にいると特定したとき、第２着信中にスピーカ１０から出力される着信音量を、スピーカ１０の最大音量まで上げてもよい。例えば、ユーザは、自宅にいるとき、携帯電話機１を屋内に置いた状態で、屋外で作業することがある。このような場合であっても、スピーカ１０の音量を最大音量まで上げることによって、ユーザが第２着信に気付く可能性をより高めることができる。
【００６０】
ここで、コントローラ２１は、第２着信中にスピーカ１０から出力される着信音量を上げるとき、スピーカ１０の着信音量を徐々に上げてもよい。スピーカ１０の音量を一気に上げると、ユーザは不意を突かれて驚いてしまうことがある。スピーカ１０の着信音量を徐々に上げることによって、ユーザが不意を突かれることが低減され得る。
【００６１】
また、コントローラ２１は、スピーカ１０の設定音量に関わらず、スピーカ１０の着信音量が、第１設定時間内に、環境音の音量に到達するように制御してもよい。第１設定時間は、発信者の操作に基づいて着信が切断される時間を考慮して設定することができる。スピーカ１０の音量が第１設定時間以内に環境音の音量に到達するように制御することによって、発信者の操作に基づいて着信が切断される前に、ユーザが第２着信に気付く可能性を高めることができる。
【００６２】
また、コントローラ２１は、スピーカ１０の着信音量を第２設定時間だけ設定音量に維持した後、スピーカ１０の音量をスピーカ１０の環境音の音量まで徐々に上げてもよい。第２設定時間は、例えば、発信者の操作に基づいて着信が切断される時間を考慮して設定することができる。スピーカ１０の音量を第２設定時間だけ設定音量に維持させることによって、ユーザが不意を突かれることが低減され得る。この処理の一例を、図４を参照して説明する。
【００６３】
図４は、スピーカ１０から出力される着信音量の一例を示す図である。図４において、横軸は時刻を示し、縦軸はスピーカ１０の着信音量を示す。図４に示す時刻０秒は、第２着信が検出された時刻に対応する。また、時刻０秒におけるスピーカ１０の着信音量は、スピーカ１０の設定音量に対応する。また、図４では、第１設定時間は、時刻５秒から時刻１５秒までの１０秒間である。また、図４では、第２設定時間は、時刻０秒から時刻５秒までの５秒間である。また、図４では、マイク８によって取得される環境音の音量は、音量７であるものとする。
【００６４】
ケースＡでは、設定音量が１である。ケースＡでは、時刻５秒で、スピーカ１０の着信音量は、２つ上げられて、１から３になる。また、時刻１０秒で、スピーカ１０の着信音量は、２つ上げられて、３から５になる。さらに、時刻１５秒で、スピーカ１０の着信音量は、環境音の音量７に到達する。
【００６５】
ケースＢでは、設定音量が４である。ケースＢでは、時刻５秒で、スピーカ１０の着信音量は、１つ上げられて、４から５になる。また、時刻１０秒で、スピーカ１０の着信音量は、１つ上げられて、５から６になる。さらに、ケースＢでは、時刻１５秒で、スピーカ１０の着信音量は、環境音の音量７に到達する。
【００６６】
ケースＣでは、設定音量が６である。ケースＣでは、時刻５秒で、スピーカ１０の着信音量は、１つ上げられて、６から７になる。従って、ケースＣでは、時刻５秒で、スピーカ１０の着信音量は、環境音の音量７に到達する。
【００６７】
ケースＤでは、設定音量が７である。ケースＤでは、設定音量が環境音の音量７である。ケースＤでは、スピーカ１０の音量は環境音の音量７のまま維持される。
【００６８】
このように図４の例では、時刻５秒、時刻１０秒及び時刻１５秒の３回にわたって、スピーカ１０の着信音量が上げられる。このような制御は、コントローラ２１が、例えば、以下の式（１）に従うことによって、実現され得る。
Ｖ＝ｆｌｏｏｒ｛（ＶＭＡＸ−ＶＴ）／（ＳＭＡＸ−ＳＴ）｝              式（１）
式（１）において、ｆｌｏｏｒ｛｝は床関数を表す。また、Ｖはスピーカ１０の着信音量の増加量であり、ＶＭＡＸはスピーカ１０の環境音の音量であり、ＶＴはスピーカ１０の増加前の着信音量である。また、ＳＭＡＸは着信音量を上げる総回数であり、ＳＴは、現在までに着信音量を上げた回数である。例えば、ケースＡにおける時刻５秒では、ＶＭＡＸは７であり、ＶＴは１であり、ＳＭＡＸは３であり、ＳＴは０である。従って、Ｖ＝ｆｌｏｏｒ｛（７−１）／（３−０）｝＝２と算出される。なお、０＜（ＶＭＡＸ−ＶＴ）／（ＳＭＡＸ−ＳＴ）＜１となり、式（１）においてＶ＝０と算出されるときは、コントローラ２１は、式（１）の代わりに、Ｖ＝（ＶＭＡＸ−ＶＴ）によってＶを算出する。例えば、ケースＣにおける時刻５秒では、（ＶＭＡＸ−ＶＴ）／（ＳＭＡＸ−ＳＴ）＝０．３３であり、式（１）ではＶ＝０と算出される。この場合、コントローラ２１は、Ｖ＝（ＶＭＡＸ−ＶＴ）＝（７−６）＝１と算出する。
【００６９】
なお、コントローラ２１は、第２着信中にスピーカ１０から出力される着信音量を下げるときも着信音量を上げるときと同様に、徐々に下げてもよい。
【００７０】
また、コントローラ２１は、第１着信を検出してから第１時間以内に、第２着信を検出したとき、スピーカ１０から出力される着信音量を上げるか又は下げるかをしてもよい。第１時間は、例えば、発信者が緊急度の高い用件を携帯電話機１のユーザに伝えるために電話を掛けるときに、ユーザが応答しなかったために着信が切断されてから、発信者が再度の電話を掛けるまでの時間を想定して設定することができる。また、第１時間は、緊急度に応じて設定されてもよい。この場合、緊急度が高いほど第１時間は短く設定され得る。第１時間は、例えば、１０分と設定することができる。
【００７１】
図５は、本開示の第１実施形態に係る携帯電話機１の動作を示すフローチャートである。コントローラ２１は、他の通信機器からの電話の着信を検出すると、図５に示す動作を開始する。
【００７２】
コントローラ２１は、検出した着信に対してユーザ操作が検出されたか否か判定する（ステップＳ１）。コントローラ２１は、検出した着信に対してユーザ操作が検出されないと判定したとき（ステップＳ１：Ｎｏ）、ステップＳ２の処理に進む。一方、コントローラ２１は、検出した着信に対してユーザ操作が検出されたと判定したとき（ステップＳ１：Ｙｅｓ）、処理を終了する。
【００７３】
ステップＳ２の処理では、コントローラ２１は、ステップＳ１の処理においてユーザ操作が検出されないと判定した着信を、第１着信として検出する。ステップＳ３の処理では、コントローラ２１は、第２着信を検出する。
【００７４】
ステップＳ４の処理では、コントローラ２１は、マイク８によって携帯電話機１の周囲の環境音を取得する。
【００７５】
ステップＳ５の処理では、コントローラ２１は、第１着信を検出してから第１時間経過したか否か判定する。
【００７６】
コントローラ２１は、第１着信を検出してから第１時間経過していないと判定したとき（ステップＳ５：Ｎｏ）、すなわち、第１着信を検出してから第１時間以内に第２着信を検出したとき、ステップＳ６の処理に進む。
【００７７】
一方、コントローラ２１は、第１着信を検出してから第１時間経過したと判定したとき、すなわち、第１時間経過後に第２着信が検出されたとき（ステップＳ５：Ｙｅｓ）、ステップＳ１の処理に戻る。コントローラ２１は、再度のステップＳ１の処理では、ステップＳ３の処理で検出した第２着信に対してユーザ操作が検出されたか否か判定する。
【００７８】
ステップＳ６の処理では、コントローラ２１は、センサ部１４の検出結果に基づいて、携帯電話機１が電車内にいるか否か特定する。すなわち、コントローラ２１は、センサ部１４の検出結果に基づいて、ユーザが電車内にいるか否か特定する。コントローラ２１は、携帯電話機１が電車内にいると特定したとき（ステップＳ６：Ｙｅｓ）、ステップＳ８の処理に進む。一方、コントローラ２１は、携帯電話機１が電車内にいないと特定したとき（ステップＳ６：Ｎｏ）、ステップＳ７の処理に進む。
【００７９】
ステップＳ７の処理では、コントローラ２１は、スピーカ１０の着信音量を上げる。ステップＳ８の処理では、コントローラ２１は、スピーカ１０の着信音量を下げる。
【００８０】
ステップＳ９の処理では、コントローラ２１は、第２着信に対してユーザ操作が検出されたか否か判定する。ステップＳ９の処理におけるユーザ操作は、ステップＳ１におけるユーザ操作と同じである。
【００８１】
コントローラ２１は、第２着信に対してユーザ操作が検出されないと判定したとき（ステップＳ９：Ｎｏ）、ステップＳ１０の処理に進む。ステップＳ１０の処理では、コントローラ２１は、ステップＳ３の処理で検出した第２着信を第１着信とする。その後、コントローラ２１は、ステップＳ３の処理に戻る。
【００８２】
一方、コントローラ２１は、第２着信に対してユーザ操作が検出されたと判定したとき（ステップＳ９：Ｙｅｓ）、ステップＳ１１の処理に進む。ステップＳ１１の処理では、コントローラ２１は、スピーカ１０に着信音の出力を停止させた後、スピーカ１０の着信音量を設定音量に戻す。
【００８３】
なお、コントローラ２１は、ステップＳ７の処理によってスピーカ１０の着信音量を上げているとき、ディスプレイ２にボリュームウィジェットを表示させなくてもよい。ボリュームウィジェットを表示させないことによって、ボリュームウィジットの表示が、ディスプレイ２に表示される他の表示（例えば、ユーザ操作を受け付けるタッチセンサ式のソフトキー）を遮ってしまうことを防ぐことができる。
【００８４】
また、コントローラ２１は、ステップＳ１の処理後、所定のユーザ操作を検出したとき、処理を終了してもよい。所定のユーザ操作は、例えば、携帯電話機１から第１着信の発信元に電話を発信するためのユーザ操作、及び、着信履歴から第１着信の存在を示す表示を消去するためのユーザ操作である。
【００８５】
以上のように、第１実施形態に係る携帯電話機１は、第１着信を検出した後、第２着信を検出すると、第２着信中にスピーカ１０から出力される着信音量を、携帯電話機１の周囲の環境に基づいて設定する。
【００８６】
上述の携帯電話機１の周囲の環境に基づく設定によって、例えば、第２着信中にスピーカ１０から出力される着信音量が、環境音の音量まで上げら得る。スピーカ１０の着信音量が環境音の音量まで上げられることによって、ユーザが第２着信に気付く可能性を高めることができる。さらに、携帯電話機１のユーザが第２着信に気付く可能性を高めることによって、例えば緊急度の高い用件を携帯電話機１のユーザに伝えるために、発信者が何回も電話を掛け直すといった手間を低減させることができる。
【００８７】
上述の携帯電話機１の周囲の環境に基づく設定によって、例えば、第２着信中にスピーカ１０から出力される着信音量が、環境音の音量よりも下げられ得る。スピーカ１０の着信音量が環境音の音量まで下げられることによって、周囲の人々に迷惑を掛ける蓋然性を低減させることができる。
【００８８】
このように本実施形態によれば、第２着信中にスピーカ１０から出力される着信音量を、携帯電話機１の周囲の環境に基づいて設定することによって、改善された携帯電話機１が提供され得る。
【００８９】
さらに、第１実施形態に係る携帯電話機１は、ユーザ操作が検出されなかった着信（すなわちユーザが気付かなかった着信）を、第１着信として検出することができる。このような第１着信には、不在着信であっても、ユーザが該着信に気付いて自ら切断したような着信は含まれない。従って、携帯電話機１は、不在着信であってもユーザが自ら切断したような着信に対しては、該着信の発信者から再度の着信を検出しても、スピーカ１０から出力される着信音量を変更したりはしない。このような制御によって、ユーザに煩わしさを感じさせたり、周囲の人々に迷惑を掛けたりすることを防ぐことができる。従って、第１実施形態によれば、改善された携帯電話機１が提供され得る。
【００９０】
また、第１実施形態に係る機能（第２着信を検出したときにスピーカ１０の着信音量を変更する機能）は、携帯電話機１の初期設定において有効となるようにしてもよい。このような処理によって、第１実施形態に係る機能を利用するために、ユーザが携帯電話機１に対して設定等を行う手間を省くことができる。また、第１実施形態に係る機能を携帯電話機１が実行可能であることを、ユーザが知らなくても、携帯電話機１は該機能を実行し得る。これにより、第１実施形態に係る携帯電話機１は、ユーザの利便性に優れたものとなる。
【００９１】
また、第１実施形態に係る機能は、携帯電話機１に対して所定のユーザ操作が検出されたときに、解除され得るようにしてもよい。例えば、第１実施形態に係る機能は、通話機能の設定時にディスプレイ２に表示される所定のボタンに対するユーザ操作が検出されたときに、解除され得るようにしてもよい。
【００９２】
（第２実施形態）
次に、本開示の第２実施形態に係る携帯電話機について説明する。第２実施形態に係る携帯電話機は、第１実施形態に係る携帯電話機１と同様の構成を採用することができる。従って、以下では、図１から図３を参照しつつ、第１実施形態との相違点を中心に説明する。
【００９３】
ユーザの中には、同一発信者から２度目の着信があっても、該着信に関する要件の緊急性はそれ程高くないと判断し、該着信に応答しないユーザが存在する。このようなユーザは、同一発信者から数回目の着信があったときに、ようやく該着信に関する要件の緊急性は高いと判断し、該着信に応答することが多い。
【００９４】
上述の事態に鑑みて、第２実施形態に係るコントローラ２１は、同一発信者からの第１着信の検出回数が所定回数に達した後に、第２着信を検出すると、第１実施形態と同様にスピーカ１０から出力される着信音量を上げる。所定回数は、携帯電話機１のユーザの性格等を考慮して設定することができる。所定回数は、例えば、９である。このような制御によって、ユーザが着信に応答すると想定されるタイミングで、スピーカ１０から出力される着信音量が上げられる。
【００９５】
第２実施形態に係るストレージ２０は、所定回数と、第１着信の検出回数とをさらに記憶する。
【００９６】
図６は、本開示の第２実施形態に係る携帯電話機１の動作を示すフローチャートである。以下、第１着信は、同一発信者による着信であるものとする。
【００９７】
コントローラ２１は、第１着信を検出する（ステップＳ２１）。コントローラ２１は、第１着信を検出すると、ストレージ２０に記憶されている第１着信の検出回数を１上げる。
【００９８】
コントローラ２１は、ストレージ２０を参照して、第１着信の検出回数が所定回数に達したか否か判定する（ステップＳ２２）。コントローラ２１は、第１着信の検出回数が所定回数に達したと判定したとき（ステップＳ２２：Ｙｅｓ）、ステップＳ２３の処理に進む。一方、コントローラ２１は、第１着信の検出回数が所定回数に達しないと判定したとき（ステップＳ２２：Ｎｏ）、ステップＳ２１の処理に戻る。
【００９９】
ステップＳ２３の処理では、コントローラ２１は、第２着信を検出する。次に、コントローラ２１は、第１着信を検出してから第１時間経過したか否か判定する。コントローラ２１は、所定回数検出した第１着信のうち、最後の第１着信を検出してから第１時間経過したか否か判定してもよい。
【０１００】
コントローラ２１は、第１着信を検出してから第１時間経過したと判定したとき（ステップＳ２３：Ｙｅｓ）、ストレージ２０に記憶されている第１着信の検出回数を０にリセットした後、ステップＳ２５の処理に進む。一方、コントローラ２１は、第１着信を検出してから第１時間経過していないと判定したとき（ステップＳ２３：Ｎｏ）、ストレージ２０に記憶されている第１着信の検出回数を０にリセットした後、ステップＳ２６の処理に進む。
【０１０１】
ステップＳ２５の処理では、コントローラ２１は、ステップＳ２３の処理で検出した第２着信に対してユーザ操作が検出されたか否か判定する。ステップＳ２５の処理におけるユーザ操作は、図５に示すステップＳ１の処理におけるユーザ操作と同じである。コントローラ２１は、第２着信に対してユーザ操作が検出されたと判定したとき（ステップＳ２５：Ｙｅｓ）、処理を終了する。一方、コントローラ２１は、第２着信に対してユーザ操作が検出されないと判定したとき（ステップＳ２５：Ｎｏ）、ステップＳ２１の処理に戻る。コントローラ２１は、再度のステップＳ２１の処理では、ステップＳ２３の処理で検出した第２着信を第１着信とする。
【０１０２】
ステップＳ２６，Ｓ２７，Ｓ２８，Ｓ２９の処理は、図５に示すステップＳ７，Ｓ９，Ｓ１０，Ｓ１１の処理と同様であるため、説明を省略する。
【０１０３】
なお、コントローラ２１は、ステップＳ２１，Ｓ２２の処理を繰り返し行っている間に、最初の第１着信を検出してから第１時間経過したとき、ストレージ２０に記憶されている第１着信の検出回数を０にリセットした後、検出処理を終了してもよい。
【０１０４】
以上のように、第２実施形態に係る携帯電話機１は、同一発信者からの第１着信の検出回数が所定回数に達した後に、第２着信を検出すると、スピーカ１０から出力される着信音量を、第１着信中の着信音量よりも上げる。このような制御によって、ユーザが着信に応答すると想定されるタイミングで、スピーカ１０から出力される着信音量が上げられる。従って、第２実施形態によれば、ユーザの利便性に優れた携帯電話機１が提供され得る。
【０１０５】
第２実施形態において、その他の効果及び構成は、第１実施形態と同様である。
【０１０６】
（第３実施形態）
次に、本開示の第３実施形態に係る携帯電話機について説明する。第３実施形態に係る携帯電話機は、第１実施形態に係る携帯電話機１と同様の構成を採用することができる。従って、以下では、図１から図３を参照しつつ、第１実施形態との相違点を中心に説明する。
【０１０７】
ユーザは、緊急度の高い要件を相手に伝えるために、携帯電話機１を利用して電話を掛けることがある。この場合、相手が電話に応答しないと、ユーザは、携帯電話機１の呼び出し状態を長時間維持し続けることがある。また、相手が電話に応答しないと、ユーザは、同一の相手に、短時間に何度も電話を掛け直すことがある。
【０１０８】
上述の事態に鑑みて、第３実施形態に係るコントローラ２１は、呼び出し時間が第２時間よりも長いと判定したとき、通信ユニット１３を介して相手の通信機器に、所定のメッセージを送信する。所定のメッセージは、例えば、「緊急なので折り返し電話して下さい」とのメッセージであってよい。所定のメッセージは、予めストレージ２０に格納されてもよい。また、第２時間は、例えば、平均的な呼び出し時間の数倍の時間であってよい。例えば、平均的な呼び出し時間が１０秒であれば、その２倍となる２０秒を第２時間としてもよい。
【０１０９】
さらに、コントローラ２１は、第３時間内における、同一相手への発信数が所定数を超えると判定したとき、通信ユニット１３を介して相手の通信機器に、所定のメッセージを送信してもよい。第３時間は、ユーザの性格等を考慮して予め設定されてもよい。第３時間は、例えば、１時間であってよい。また、所定数は、ユーザの性格等を考慮して予め設定されてもよい。所定数は、例えば、５回であってよい。
【０１１０】
図７は、本開示の第３実施形態に係る携帯電話機１の動作の一例を示すフローチャートである。コントローラ２１は、相手が応答する前に切断された発信を検出したとき、図７に示す処理を開始する。
【０１１１】
コントローラ２１は、発信の呼び出し時間が第２時間よりも長いか否か判定する（ステップＳ３１）。コントローラ２１は、発信の呼び出し時間が第２時間よりも長いと判定したとき（ステップＳ３１：Ｙｅｓ）、ステップＳ３３の処理に進む。一方、コントローラ２１は、発信の呼び出し時間が第２時間よりも短いと判定したとき（ステップＳ３１：Ｎｏ）、ステップＳ３２の処理に進む。
【０１１２】
ステップＳ３２の処理では、コントローラ２１は、第３時間内における同一相手への発信数が所定数を超えるか否か判定する。コントローラ２１は、第３時間内における同一相手への発信数が所定数を超えると判定したとき（ステップＳ３２：Ｙｅｓ）、ステップＳ３３の処理に進む。一方、コントローラ２１は、第３時間内における同一相手への発信数が所定数以下であると判定したとき（ステップＳ３２：Ｎｏ）、ステップＳ３１の処理に戻る。
【０１１３】
ステップＳ３３の処理では、コントローラ２１は、通信ユニット１３を介して相手の通信機器に、所定のメッセージを送信する。
【０１１４】
以上のように、第３実施形態に係るコントローラ２１は、相手が応答する前に切断された発信の呼び出し時間が第２時間よりも長いと判定したとき、当該相手の通信機器に、所定のメッセージを送信する。また、コントローラ２１は、第３時間内における同一相手への発信数が所定数を超えると判定したとき、当該相手の通信機器に、所定のメッセージを送信することもできる。このような制御によって、所定のメッセージを見た相手は、緊急度の高い要件があることを知り得る。つまり、相手に、当該相手が所有する通信機器を利用して、携帯電話機１に電話を掛ける契機を与えることができる。従って、本実施形態によれば、ユーザの利便性に優れた携帯電話機１が提供され得る。
【０１１５】
さらに、所定のメッセージを見た相手が、他の通信機器を利用して携帯電話機１に電話を掛けた場合に、ユーザが当該他の通信機器からの着信に応答できなかったときでも、携帯電話機１は、第１実施形態に係る着信音量を上げる処理を実行することができる。これにより、ユーザは、相手からの着信に気付くことができる。さらに、相手に電話を再度掛け直すことによって、緊急度の高い要件を速やかに伝えることができる。
【０１１６】
なお、携帯電話機１は、所定のメッセージを送信した通信機器からの着信を検出したとき、１回目の着信中であっても、第１実施形態に係る着信音量を上げる処理を行ってもよい。これにより、ユーザが相手からの着信に気付く可能性を高めることができる。
【０１１７】
本開示の一実施形態を諸図面及び実施例に基づき説明してきたが、当業者であれば本開示に基づき種々の変形及び修正を行うことが容易であることに注意されたい。従って、これらの変形及び修正は本開示の範囲に含まれることに留意されたい。各構成部、各ステップ等に含まれる機能等は論理的に矛盾しないように再配置可能であり、複数の構成部及びステップ等を１つに組み合わせたり、或いは分割したりすることが可能である。また、本開示の一実施形態について装置を中心に説明してきた。しかしながら、本開示内容は、装置が備えるプロセッサにより実行される方法、プログラム、又はプログラムを記録した記憶媒体としても実現し得るものである。従って、これらも、本開示の範囲にはこれらも包含されるものと理解されたい。
【０１１８】
例えば、上記実施形態では、スピーカ１０は携帯電話機１に備えられている。しかしながら、スピーカは携帯電話機に外部接続されていてもよい。図８に、本開示の変形例に係る携帯電話機１Ａ及びスピーカ１０Ａのブロック図を示す。スピーカ１０Ａは携帯電話機１に外部接続される。図８では、スピーカ１０Ａと携帯電話機１Ａとは無線接続されている。しかしながら、スピーカ１０Ａと携帯電話機１Ａとは有線接続されていてもよい。また、スピーカ１０ＡはＢｌｕｅｔｏｏｔｈ（登録商標）に準拠した通信機能を有してもよい。この場合、スピーカ１０と携帯電話機１とは、近距離無線通信を行ってもよい。
【０１１９】
また、コントローラ２１は、第１着信を検出してから第１時間以内に第２着信を検出したとき、振動部１１を第１振動パターンとは異なる前記振動部を前記第２振動パターンで振動させてもよい。第１振動パターンは、例えば、第１着信中の振動パターンである。第１振動パターンは、ユーザ設定に基づく振動パターンであってよい。第１振動パターン及び第２振動パターンは、振動部１１が所定周波数で振動する振動時間帯と、振動部１１が振動を停止する停止時間帯とを交互に繰り返すパターンであってよい。この場合、第２振動パターンの振動時間帯は、第１振動パターンの振動時間帯よりも長くてよい。また、コントローラ２１は、同一発信者からの第１着信の検出回数が所定回数に達した後に、第２着信を検出すると、第２振動パターンで振動部１１を振動させてもよい。
【符号の説明】
【０１２０】
１，１Ａ  携帯電話機
２  ディスプレイ
２Ａ  表示パネル
２Ｂ  タッチセンサ
３  キー
３Ａ，３Ｂ，３Ｃ  操作キー
３Ｄ  音量キー
３Ｅ  電源キー
４  ランプ
５Ａ，５Ｂ  カメラ
６  近接センサ
７  レシーバ
８  マイク
９  ライト
１０，１０Ａ  スピーカ
１１  振動部
１２  バッテリ
１３  通信ユニット
【図１】
2019009657.tif 000003
【図２】
2019009657.tif 000004
【図３】
2019009657.tif 000005
【図４】
2019009657.tif 000006
【図５】
2019009657.tif 000007
【図６】
2019009657.tif 000008
【図７】
2019009657.tif 000009
【図８】
2019009657.tif 000010